(57)【要約】【課題】基盤保護カバーを外しても制御基盤表面が露出せず、短時間に制御基盤の不正改造を行うことができず、さらに基盤ボックスの孔等から器具を挿入して不正改造を行うことができない基盤ボックスを装着した遊技機を提供する。【解決手段】コネクタカバー２８は、基盤保護カバー２６に固着されている。制御基盤２２は、制御回路構成部材４４が配置された表面２３を基盤保護カバー２６の内側面方向に向けて基盤保護カバー２６に装着されている。コネクタカバー２８及び制御基盤２２を装着した基盤保護カバー２６は基盤裏カバー２４に装着されている。【選択図】図７
2010046541.tif 000002
【特許請求の範囲】
【請求項１】
基盤裏カバーと基盤保護カバーとを組み合わせて中空の基盤ボックスを構成し、同基盤ボックス内であって基盤保護カバー側には、表面に制御回路構成部材を配置した制御基盤を装着し、装着状態で同基盤の表面側は基盤保護カバーの内側面方向を向くようにした制御装置ユニットを装着した遊技機。
【請求項２】
前記基盤保護カバーは、天井部と同天井部の縁を立ち上げた立設部とからなる函体状に形成され、前記制御基盤は少なくとも前記立設部の端部位置からはみ出ることのないように立設部に包囲されて収容されるようにした請求項１に記載の遊技機。
【請求項３】
前記制御基盤の縁は、前記基盤保護カバーの立設部の内周面と密着している請求項２に記載の遊技機。
【発明の詳細な説明】
【技術分野】
【０００１】
この発明は、基盤裏カバーを基盤保護カバーで覆い、内部に遊技内容を制御する制御基盤を基盤ボックス内に収容するようにした制御装置ユニットを装着した遊技機に関する。
【背景技術】
【０００２】
パチンコ機、スロットマシーン等の遊技機では、制御基盤に構成された制御回路からの信号によって遊技内容の制御を行っている。そのため、現在この制御基盤上の制御回路構成部材、例えば、ＣＰＵやロム等のチップを外して変造ＣＰＵや変造ロムに交換する不正改造が行われ、しばしば問題となっている。
【０００３】
基本的には、不正改造を防止するために、従来から、例えばパチンコ機では図１２に示すように、基盤裏カバー１６と基盤保護カバー１７で構成される基盤ボックスにおいて、制御基盤１５は基盤裏カバー１６側に固定され、基盤保護カバー１７でこれを覆っている。そして、容易に基盤保護カバー１７を開放できないようにかしめ部材等でかしめられている。基盤保護カバー１７と基盤裏カバー１６の境界には開封防止の封印シール１８が貼着されている。これは基盤保護カバー１７を開ければ封印シール１８が破れ、容易に制御基盤１５の不正改造が発覚するようにするためである。また、基盤ボックスは全体が透明の樹脂で形成されている。これは、基盤保護カバー１７を開けなくとも制御基盤１５のチップの配置状態を目視できるようにして制御基盤１５の不正改造が行われればすぐに発見できるようにするためである。
【先行技術文献】
【特許文献】
【０００４】
【特許文献１】実公平７−５３６５９号公報
【発明の概要】
【発明が解決しようとする課題】
【０００５】
このように、種々の不正防止手段が講じられているにもかかわらず、依然内蔵ロムの交換等の不正改造が行われている。特に悪質なものでは、パチンコ店の営業時間中に見張りを立てながらその場で正規ロムを取り外し、改造ロムいわゆる裏ロムに交換するという不正改造がある。この場合、パチンコ店の営業時間中に不正改造を行うため、店員に気づかれないよう短時間に不正改造の作業を行う必要がある。しかし、前記従来の遊技機においては、制御基盤が、基盤裏カバー側に装着され、基盤保護カバーさえ外せば制御基盤表面が露出するため、すばやく正規ロムを裏ロムに交換することが可能であった。
【０００６】
また、基盤裏カバーと基盤保護カバーとの間の僅かな隙間から器具を挿入して不正改造が行われることもあった。
【０００７】
この発明はこのような事情に鑑みてなされたものであって、その目的は、基盤保護カバーを外しても制御基盤表面が露出せず、短時間に制御基盤の不正改造を行うことができず、さらに基盤裏カバーと基盤保護カバーとの間の隙間から器具を挿入して不正改造を行うことができない制御装置ユニットを装着した遊技機を提供することにある。
【課題を解決するための手段】
【０００８】
上記の目的を達成するために、請求項１に記載の発明は、基盤裏カバーと基盤保護カバーとを組み合わせて中空の基盤ボックスを構成し、同基盤ボックス内であって基盤保護カバー側には、表面に制御回路構成部材を配置した制御基盤を装着し、装着状態で同基盤の表面側は基盤保護カバーの内側面方向を向くようにした制御装置ユニットを装着したことをその要旨とする。
【０００９】
また、上記の目的を達成するために、請求項２に記載の発明は、請求項１に記載の遊技機において、前記基盤保護カバーは、天井部と同天井部の縁を立ち上げた立設部とからなる函体状に形成され、前記制御基盤は少なくとも前記立設部の端部位置からはみ出ることのないように立設部に包囲されて収容されるようにしたことをその要旨とする。
【００１０】
また、上記の目的を達成するために、請求項３に記載の発明は、請求項２に記載の遊技機において、前記制御基盤の縁は、前記基盤保護カバーの立設部の内周面と密着していることをその要旨とする。
【発明の効果】
【００１１】
請求項１に記載の発明では、基盤保護カバーを基盤裏カバーから取り外しても制御回路構成部材が配置された制御基盤の表面側は基盤保護カバーの内側面を向いているため露出しない。制御基盤の表面側を露出させるには、さらに制御基盤を基盤保護カバーから取り外さなければならない。従って、短時間に制御基盤の制御回路構成部材を脱着することができず、制御基盤の不正改造による犯罪を抑止することができる。
【００１２】
請求項２に記載の発明では、請求項１に記載の発明の効果に加え、前記基盤保護カバーは、天井部と同天井部の縁を立ち上げた立設部とからなる函体状に形成され、前記制御基盤は少なくとも前記立設部の端部位置からはみ出ることのないように立設部に包囲されて収容されるようにしたので、制御基盤の縁と基盤保護カバーの立設部の内周面との隙間からネジ回し等の器具を挿入して不正改造を行おうとしても立設部が邪魔となって、器具が制御基盤の表面の制御回路構成部材に届かない。従って、制御基盤を基盤保護カバーから取り外さない限り、制御基盤の制御回路構成部材を脱着することができない。
【００１３】
請求項３に記載の発明では、請求項２に記載の発明の効果に加え、前記制御基盤の縁は、前記基盤保護カバーの立設部の内周面と密着しているので、制御基盤の縁と基盤保護カバーの立設部の内周面との間からネジ回し等の器具を挿入しようとすると、隙間がないため強引にこじ開けるよりほかない。従って、さらに不正改造が困難であり、制御基盤を基盤保護カバーから取り外さない限り、制御基盤の制御回路構成部材を脱着することができない。
【図面の簡単な説明】
【００１４】
【図１】本発明の実施の形態のパチンコ機の斜視図。
【図２】実施の形態のパチンコ機の背面図。
【図３】実施の形態のパチンコ機の制御装置ユニットの組付け状態を示す分解斜視図。
【図４】同制御装置ユニットの正面図。
【図５】図４におけるＡ−Ａ断面図。
【図６】（ａ）ワッシャの平面図。（ｂ）同ワッシャの正面図。
【図７】図４におけるＢ−Ｂ断面図。
【図８】図４におけるＣ−Ｃ断面図。
【図９】同制御装置ユニットの基盤保護カバーの背面図。
【図１０】実施の形態のパチンコ機の別例の制御装置ユニットの断面図。
【図１１】実施の形態のパチンコ機の別例の制御装置ユニットの断面図。
【図１２】従来のパチンコ機の制御装置ユニットの断面図。
【発明を実施するための形態】
【００１５】
以下、本発明の実施の形態である遊技機（第１種始動口付きパチンコ機、以下単にパチンコ機という）を説明する。
【００１６】
図１に示すように、外枠１には前枠２が回動軸を中心に回動可能に装着されている。同図１では前枠２は閉じた状態にある。前枠２には図示しない遊技盤、ガラス枠４、上皿５、下皿６、ハンドル部７等が装着されている。ガラス枠４は、前枠２に回動軸を中心に回動可能に装着されている。上皿５の側方であって前枠２内部にはスピーカ８が埋設されている。スピーカ８は遊技の進行に伴い種々の効果音を鳴らしたり、遊技者に遊技状態を音声にて報知する。
【００１７】
次に遊技機の背面側の構成について説明する。尚、以下の説明では図２における左右方向をもって左右と、上下方向をもって上下という。また、図２における正対する面を前面とする。
【００１８】
図２に示すように、外枠１内部中央には、図柄表示装置ユニット９が配設されている。同ユニット９に隣接してパチンコ機の電子的制御を行う制御装置ユニット１０が配設されている。図柄表示装置ユニット９の上方には賞球タンク１１が配設されている。図２において賞球タンク１１の右方には入出力基盤１２が配設されている。入出力基盤１２は電源電圧の入力ポートとなると共に内部負荷に対して電源を供給する電源回路が構成されている。入出力基盤１２下方には賞球タンク１１から流出する球を所定個数ごとにまとめて供給する球供給機構Ｐが配設されている。球供給機構Ｐの下方には入賞球を検出して賞球を供給する賞球供給機構Ｑが配設されている。賞球供給機構Ｑの左方にはハンドル部７の操作に応じて遊技球を打ち出す弾球機構Ｒが配設されている。
【００１９】
以下、制御装置ユニット１０について詳述する。図３〜図９に示すように制御装置ユニット１０は、基盤ボックス２０の中に制御基盤２２を収容したものである。基盤ボックス２０は、基盤裏カバー２４、基盤保護カバー２６、コネクタカバー２８とからなる。
【００２０】
基盤裏カバー２４は、長方形函体状に形成され、板状の底面部３０とその周縁を立ち上げて形成した立設部３２とからなる。底面部３０の端部には、立設部３２と接して複数の規制片３４が形成されている。立設部３２の外周面には上下に４個ずつ、計８個の第１のネジ止め環３６が形成されている。図３及び図５に示すように、第１のネジ止め環３６は、折り取り部３８、ナット保持部４０とからなる。図３に示すように第１のネジ止め環３６であって、上部の左寄りの３個、下部の右寄りの３個においては、さらにネジ収容部４２が形成されている。ネジ収容部４２には、ネジ９６が収容されている。
【００２１】
基盤保護カバー２６は、略長方形函体状に形成され、板状の天井部４５とその周縁を立ち上げて形成した立設部４６とからなる。立設部４６は、図３に示すように、上部４８、下部５０、左部５２は同じ高さで形成されているが、右部５４は上下及び左部よりも低く形成されている。天井部４５の上部及び下部には放熱のための小孔５６が複数形成され、中央部には、長方形状の凹部５８、６０が形成されている。天井部４４の右部上下には透孔６２が形成されている。図９に示すように、基盤保護カバー２６の背面側右部の上下端には、規制凸部６３が形成され、規制凸部６３にはネジ孔６３ａが形成されている。
【００２２】
立設部上部４８及び立設部下部５０の外周面には４個ずつ、計８個の第２のネジ止め環６４が形成されている。第２のネジ止め環６４は、折り取り部６６、ネジ頭保持部６８とからなる。第２のネジ止め環６４であって、上部の右寄りの３個、下部の左寄りの３個においては、さらにネジ押さえ７０が形成されている。ネジ押さえ７０は、隣接する第１のネジ止め環３６のネジ収容部４２に収容されたネジ９６の押さえ部材とされている。
【００２３】
基盤保護カバー２６と基盤裏カバー２４は、第１及び第２のネジ止め環３６及び６４とをかしめ状態とすることで、離脱不能に装着されている。かしめ作用について図５及び図６に基づいてより詳細に説明する。
【００２４】
図５に示すように、第１のネジ止め環３６のナット収容部４０には、ワッシャ９８及びナット１００が挿入されている。ネジ９６は、胴部９６ａの中間部分のみにネジ溝９６ｂが形成されている。先端部分にはテーパ部９６ｃが形成され、同テーパ部９６ｃとネジ溝９６ｂとの間には小径部分９６ｄが形成されている。ナット１００の内周面には、上部にのみネジ溝１００ａが形成され、下部には形成されていない。図６（ａ）（ｂ）に示すように、ワッシャ９８は、孔９９の周縁が凹んでおり、等間隔で４か所に切り込み９８ａが形成されている。ワッシャ９８は、ネジ９６がナット１００に螺合されると、テーパ部９６ｃはワッシャ９８の孔９９の周縁を押圧する。ワッシャ９８の孔９９の周縁は切り込み９８ａにより各片が撓み、孔９９が押し広げられる。さらにネジ９６が螺入すると、テーパ部９６ｃはワッシャ９８を貫通し、小径部分９６ｄがワッシャ９８に進入する。押し広げられたワッシャ９８の孔９９の周縁は復元し、孔９９は元通りになる。この状態においてネジ９６のネジ溝９６ｂはナット１００のネジ溝１００ａを通過し、両者は螺合していない。ネジ９６はワッシャ９８からはずれずナット１００との螺合関係も解除されているため、ネジ９６を取り外すことはできなくなる。従って、基盤保護カバー２６を基盤裏カバー２４から取り外すには、第１、第２のネジ止め環３６、６４を折り取り部３８、６６で折り取らなければならない。本実施の形態では３回まで第１、第２のネジ止め環３６、６４を折り、再びかしめることが可能となっている。
【００２５】
図３に示すように、コネクタカバー２８は、断面略Ｌ字状に形成され、基盤保護カバー２６の立設部５２と接触する立ち上がり部７２、基盤保護カバー２６の側面を覆う側面部７４、及び側面部７４と直交するように形成されたコネクタ保護部７６とから構成されている。立ち上がり部７２の上下端部にはネジ孔７８が形成されている。側面部７４の上下にはコネクタ保護部７６と接して補強部７９が形成されている。補強部７９は板状に形成され、コネクタ保護部７６と接する部分には半円柱状のネジ収容部７９ａが形成されている。ネジ収容部７９ａには、制御基盤２２を装着する側にネジ孔８０が形成されている。コネクタ保護部７６には、コネクタを通すための長方形状の孔８２、８４、８６、８８、９０が一列に形成されている。
【００２６】
コネクタカバー２８は、基盤保護カバー２６の右部に装着されている。図７R>７、図８に示すように、コネクタカバー２８の立ち上がり部７２は、基盤保護カバー２６の立設部右部５４に隣接して配置されている。コネクタカバー２８は透孔６２を介してネジ９２をネジ孔７８に対して螺着することで基盤保護カバー２６に固定されている。
【００２７】
図３に示すように、制御基盤２２は長方形板状に形成され、四隅にネジ止め用の孔２２ａが形成されている。制御基盤２２の表面２３側には、ロム、ＣＰＵ、トランス、コンデンサ等の制御回路構成部材４４が配設されている。制御基盤２２は、表面２３側を基盤保護カバー２６の背面側に向けて装着されている。制御基盤２２は四隅の孔２２ａを介して、基盤保護カバー２６の規制凸部６３のネジ孔６３ａ及びコネクタカバー２８のネジ孔８０にネジ９４を螺着することで固定されている。コネクタカバー２８及び制御基盤２２が装着された基盤保護カバー２６は、基盤裏カバー２４の開口部を覆うように装着されている。図７に示すように、基盤保護カバー２６の立設部４６の上部立設部４８、下部立設部５０、左部立設部５２の外周面は、基盤裏カバー２４の立設部３２の内周面に接している。コネクタカバー２８のコネクタ保護部７６の縁は、基盤裏カバー２４の立設部３２の内周面に接している。また、基盤保護カバー２６の立設部４６の上部立設部４８、下部立設部５０、及び左部立設部５２の縁部は、基盤裏カバー２４の規制片３４に接しており、それ以上、内部に入り込まないように規制されている。
【００２８】
次に、本実施の形態の遊技機の作用について説明する。
【００２９】
本実施の形態のパチンコ機においては、基盤ボックス２０の内部に収容されている制御基盤２２の表面に配置された制御回路構成部材４４を目視することが可能である。
【００３０】
一方、第１、第２のネジ止め環３６、６４を折り取り、基盤保護カバー２６を基盤裏カバー２４から取り外しても制御基盤２２は基盤保護カバー２６側に装着され、その表面２３は基盤保護カバー２６の内側を向いているため、制御回路構成部材４４たるロム等を不正に交換しようとする場合には、ネジ９４を外す必要がある。
【００３１】
このように構成することにより本実施の形態の遊技機は以下のような効果を奏する。
【００３２】
・基盤保護カバー２６を基盤裏カバー２４から取り外しても制御回路構成部材４４が配置された制御基盤２２の表面２３側は基盤保護カバー２６の内側面を向いているため露出しない。不正改造を行うには、さらに制御基盤２２を基盤保護カバー２６から取り外して制御基盤２２の表面２３を露出させるか、コネクタカバー２８と制御基盤２２との隙間をこじ開けて器具を挿入する必要がある。従って、短時間に制御基盤２２の制御回路構成部材４４を脱着することができず、制御基盤２２の不正改造による犯罪を抑止することができる。
【００３３】
なお、この発明は前記実施の形態に限定されるものではなく、次のように変更して具体化することも可能である。
【００３４】
・図１０に示すように、基盤保護カバー１１０をコネクタを覆う部分と一体的に形成し、制御基盤１１２の縁が基盤保護カバー１１０の立設部１１４の内周面と密着するようにして固定してもよい。
【００３５】
この場合は、制御基盤１１２の縁と基盤保護カバー１１０の立設部１１４の内周面との隙間からネジ回し等の器具を挿入して不正改造を行おうとしても立設部１１４が邪魔となって、器具が制御基盤の表面の制御回路構成部材１１６に届かない。従って、制御基盤１１２を基盤保護カバー１１０から取り外さない限り、制御基盤１１０の制御回路構成部材１１６を脱着することができない。
【００３６】
さらに、制御基盤１１２の縁は、基盤保護カバー１１０の立設部１１４の内周面と密着しているので、制御基盤１１２の縁と基盤保護カバー１１０の立設部１１４の内周面との密着している間からネジ回し等の器具を挿入しようとすると、隙間がないので強引にこじ開けるよりほかなく、さらに不正改造が困難となる。
【００３７】
・図１１に示すように、制御基盤１２０の縁を内側に折り曲げて形成し、基盤保護カバー１２２の規制凸部１２４と同立設部１２６との間に溝１２８を形成して、制御基盤１２０の縁を溝１２８に嵌めた状態で装着してもよい。
【００３８】
この場合には、制御基盤１２０の縁と立設部１２６の隙間からネジ回し等の器具を挿入するのが非常に困難となり、さらに不正改造が困難となる。
【００３９】
本発明について上記実施の形態から把握できる技術的思想について以下に記載する。
【００４０】
・前記制御基盤の縁を折り曲げ形成して立設部を設け、同立設部の外周面が前記基盤保護カバーの立設部の内周面と密着している請求項３に記載の遊技機。
【００４１】
この発明によれば、制御基盤の縁である立設部の外周面と基盤保護カバーの立設部の内周面の隙間からネジ回し等の器具を挿入するのが非常に困難となり、さらに不正改造が困難となる。
【符号の説明】
【００４２】
１０…制御装置ユニット、２０…基盤ボックス、２２…制御基盤、２３…制御基盤の表面、２４…基盤裏カバー、２６…基盤保護カバー、２８…コネクタカバー、４６…立設部。
【図１】
2010046541.tif 000003
【図２】
2010046541.tif 000004
【図３】
2010046541.tif 000005
【図４】
2010046541.tif 000006
【図５】
2010046541.tif 000007
【図６】
2010046541.tif 000008
【図７】
2010046541.tif 000009
【図８】
2010046541.tif 000010
【図９】
2010046541.tif 000011
【図１０】
2010046541.tif 000012
【図１１】
2010046541.tif 000013
【図１２】
2010046541.tif 000014